(57)【特許請求の範囲】
【請求項１】
前面側が開放されたベースと、背面側が開放され、側面視で後方に向けて高くなるように形成された傾斜部と、同傾斜部の前後に連続する前部平坦部および後部平坦部を備えた上面と、底面と、同底面から前記上面に向けて前方に湾曲するように曲面により形成された前面とからなり、少なくとも前記傾斜部に吸込口が、前記前面下部に吹出口が夫々形成され、前記ベースに着脱可能に装着される前面パネルとにより本体ケースが構成され、同本体ケース内の前記吸込口と前記吹出口を結ぶ空気通路に熱交換器と、送風ファンとが設けられた空気調和機において、前記前部平坦部には、前記前面パネルの着脱時に手指を掛けるための手掛部が設けられていることを特徴とする空気調和機。
【請求項２】
前記手掛部の形状が、断面略凹状に形成されてなることを特徴とする請求項１に記載の空気調和機。
【請求項３】
前記手掛部の形状が、断面略Ｖ字状に形成されてなることを特徴とする請求項１に記載の空気調和機。
【請求項４】
前記手掛部が、前記前部平坦部の両側に設けられてなることを特徴とする請求項１乃至３に記載の空気調和機。
【請求項５】
前記手掛部が、前記前部平坦部の略左右全幅にわたって設けられてなることを特徴とする請求項１乃至請求項３のいずれかに記載の空気調和機。
【発明の詳細な説明】
【０００１】
【発明の属する技術分野】
本発明は、壁面取付けまたは天井吊下げ型の空気調和機に係わり、より詳細には、前面パネルの着脱を容易にした構造に関する。
【０００２】
【従来の技術】
従来の壁面取付けまたは天井吊下げ型の空気調和機は、例えば図３（Ａ）および図３（Ｂ）に示すように、前面側が開放されたベース１と、背面側が開放され、側面視で後方に向けて高くなるように形成された傾斜部４と、同傾斜部４の前後に連続する前部平坦部５および後部平坦部６を備えた上面３と、底面７と、同底面７から上面３に向けて前方に湾曲するように曲面により形成された前面８とからなり、前記傾斜部５および前記後部平坦部６に吸込口９が、前記前面８の下部に吹出口10が夫々形成され、前記ベース１に着脱可能に装着される前面パネル２とにより本体ケースが構成され、同本体ケース内の前記吸込口９と吹出口10を結ぶ空気通路に熱交換器11と、送風ファン12が設けられている。
【０００３】
しかしながら、上記構成によると、前記ベース１に対して前記前面パネル２を着脱自在に装着する際、前面パネル２の両側面に両手掌を当て、互いに内側に押圧して前面パネル２を保持した状態で着脱しなければならないため、作業性が悪く、作業中に前面パネル２を落下させてしまう恐れがあった。
【０００４】
本発明は、上記問題点に鑑みてなされたものであって、前面パネルの着脱作業を容易に行なうことができる空気調和機を提供することを目的とする。
【０００５】
本発明は、上記課題を解決するために、前面側が開放されたベースと、背面側が開放され、側面視で後方に向けて高くなるように形成された傾斜部と、同傾斜部の前後に連続する前部平坦部および後部平坦部を備えた上面と、底面と、同底面から前記上面に向けて前方に湾曲するように曲面により形成された前面とからなり、少なくとも前記傾斜部に吸込口が、前記前面下部に吹出口が夫々形成され、前記ベースに着脱可能に装着される前面パネルとにより本体ケースが構成され、同本体ケース内の前記吸込口と吹出口を結ぶ空気通路に熱交換器と、送風ファンとが設けられた空気調和機において、前記前部平坦部には、前記前面パネルの着脱時に手指を掛けるための手掛部が設けられた構成となっている。
【０００６】
また、前記手掛部の形状が、断面略凹状に形成された構成となっている。
【０００７】
また、前記手掛部の形状が、断面略Ｖ字状に形成された構成となっている。
【０００８】
また、前記手掛部が、前記前部平坦部の両側に設けられた構成となっている。
【０００９】
また、前記手掛部が、前記前部平坦部の略左右全幅にわたって設けられた構成となっている。
【００１０】
【発明の実施の形態】
本発明の実施の形態を、添付図面に基づいて説明する。図１は、本発明による壁面取けまたは天井吊下げ型の空気調和機を示す側断面図で、（Ａ）は第一の例を、（Ｂ）は第二の例を夫々示し、図２は、本発明による壁面取けまたは天井吊下げ型の空気調和機を示す説明図で、（Ａ）は斜視図であって、（Ｂ）は第三の例を、（Ｃ）は第四の例を夫々示す。
【００１１】
図において、１は前面側が開放されてベース、２は背面側が開放され、前記ベース１に着脱可能に装着された前面パネルであって、これらベース１と前面パネル２とにより本体ケースが構成されている。
【００１２】
前記前面パネル２は、側面視で後方に向けて高くなるように形成された傾斜部４と、同傾斜部４の前後に連続する前部平坦部５および後部平坦部６を備えた上面３と、同上面より奥行きの短い底面７と、同底面７から前記上面３に向けて前方に湾曲するように曲面により形成された前面８とからなり、前記上面２の前記傾斜部４および前記後部平坦部６に吸込口９が、前記前面８の下部に吹出口10が夫々形成されている。
【００１３】
そして、前記本体ケース内の前記吸込口９と前記吹出口10を結ぶ空気通路には熱交換器11と、送風ファン12とが設けられている。
【００１４】
また、前記前面パネル２の前記前部平坦部５には、同前面パネル２を前記ベース１に対して着脱可能に装着する際に、手指を掛けるための手掛部13が設けられている。
【００１５】
この手掛部13の形状は、第一の例として図１（Ａ）に示すように、断面略凹状に形成されるか、第二の例として図１（Ｂ）に示すように、断面略Ｖ字状に形成されている。
【００１６】
また、前記手掛部13は、第三の例として図２（Ａ）および図２（Ｂ）に示すように、前記前部平坦部５の略左右全幅にわたって設けられるか、第四の例として図２（Ｃ）に示すように、前記前部平坦部５の左右両側に設けられている。
【００１７】
以上の構成により、前記前面パネル２を前記ベース１に取り付け、または取り外す際には、前記手掛部13に手指Ａを掛けることにより、前面パネル２を確実に保持することができる。これによって、従来のもののように前面パネル２の両側面を強い力で保持しておく必要がないため、着脱作業を容易に行なうことができ、前面パネル２を誤って落下させてしまう恐れもなくなる。
【００１８】
【発明の効果】
以上説明したように、本発明によると、前面パネルの上面の前部平坦部に、手指を掛けるための手掛部を設けたので、前面パネルを確実に保持することができ、着脱作業を容易に行なうことができる。
【図面の簡単な説明】
【図１】本発明に壁面取付けまたは天井吊下げ型の空気調和機を示す側断面図で、（Ａ）は第一の例を示し、（Ｂ）は第二の例を夫々示す。
【図２】本発明に壁面取付けまたは天井吊下げ型の空気調和機を示す説明図で、（Ａ）は斜視図であって、（Ｂ）は第三の例を示し、（Ｃ）は第四の例を夫々示す。
【図３】従来例による壁面取付けまたは天井吊下げ型の空気調和機を示す側断面図で、（Ａ）は組立状態を示し、（Ｂ）はベースから前面パネルを取り外した状態を示す。
【符号の説明】
１  ベース
２  前面パネル
３  上面
４  傾斜部
５  前部平坦部
６  後部平坦部
７  底面
８  前面
９  吸込口
10  吹出口
11  熱交換器
12  送風ファン
13  手掛部
Ａ  手指
【図１】
0004501231.tif 000002
【図２】
0004501231.tif 000003
【図３】
0004501231.tif 000004